(57)【要約】      （修正有）【課題】一般貨物コンテナを利用して液体状の放射能汚染物質を収納し、周囲への放射能汚染を防止しつつ安全に保管したり搬送したりすることができ、除染水等の処理対策に有効であり、かつ、遊休貨物コンテナの有効利用を図ることができる液体状の放射能汚染物質用コンテナを提供する。【解決手段】液体状の放射能汚染物質用コンテナは、コンテナ本体２の端壁部３、天井部４、床部５及び両側板部の各内面、並びに、貨物出入用の開口部領域に開閉可能に取り付けられこの開口部領域を閉塞又は開口する開閉扉８、８の内面を、ゴム板等の防水層と、鉛板等の放射線遮蔽層とを重合した放射能汚染物質防護層２１で隙間なく覆い、開閉扉８、８の閉塞状態でコンテナ本体２内に収納された除染水が発する射能線の遮蔽と、除染水Ｗの外部への漏水を防止する構成とした。【選択図】図３
0003177979.tif 000002
【実用新案登録請求の範囲】
【請求項１】
コンテナ本体における貨物収納用の閉空間を形成する各部材の内面を、ゴム板等の防水層と、鉛板等の放射線遮蔽層とを重合した放射能汚染物質防護層で隙間なく覆い、
前記コンテナ本体内の閉空間に収納された液体状の放射能汚染物質の放射線遮蔽と、外部への漏水を防止するように構成したことを特徴とする液体状の放射能汚染物質用コンテナ。
【請求項２】
貨物収納用の直方体状のコンテナ本体における端壁部、天井部、床部及び両側板部の各内面、並びに、貨物出入用の開口部領域に開閉可能に取り付けられこの開口部領域を閉塞又は開口する開閉扉の内面を、ゴム板等の防水層と、鉛板等の放射線遮蔽層とを重合した放射能汚染物質防護層で隙間なく覆い、
前記開閉扉の閉塞状態で前記コンテナ本体内に収納された液体状の放射能汚染物質の放射線遮蔽と、外部への漏水を防止するように構成したことを特徴とする液体状の放射能汚染物質用コンテナ。
【請求項３】
直方体状に構成された液体状の放射能汚染物質用コンテナであって、
貨物収納用の直方体状のコンテナ本体における端壁部、天井部、床部及び両側板部の各内面、並びに、貨物出入用の開口部領域に開閉可能に取り付けられこの開口部領域を閉塞又は開口するヒンジにて開閉可能に支持された一対の観音開きの開閉扉の内面、を各々覆うゴム板等の防水層と、鉛板等の放射線遮蔽層とを重合した放射能汚染物質防護層と、
コンテナ本体における開口部領域の上辺縁部、下辺縁部に各々前記天井部側の放射能汚染物質防護層、床部側の放射能汚染物質防護層を延在することにより設けられ、観音開きの一対の開閉扉の上辺縁部、下辺縁部の放射能汚染物質防護層を各々重合接触させる放射能汚染物質防護層突出受片部と、
観音開きの一対の開閉扉の垂直方向の両接合端縁部の一方にこの開閉扉の放射能汚染物質防護層を延在させることにより設けられるとともに、他方の開閉扉の接合縁部の放射能汚染物質防護層を重合接触させる放射能汚染物質防護層突出受片部と、
を具備するとともに、
前記コンテナ本体の開口部領域の左辺縁部、右辺縁部の放射能汚染物質防護層と、観音開きの一方の開閉扉の左辺縁部、他方の開閉扉の右辺縁部の各放射能汚染物質防護層とを各々一対の開閉扉の閉状態で密接させる構成とし、
前記一対の観音開きの開閉扉の閉状態で前記コンテナ本体内に収納された液体状の放射能汚染物質の放射線遮蔽と、外部への漏水を防止するように構成したことを特徴とする液体状の放射能汚染物質用コンテナ。
【請求項４】
コンテナ本体における貨物収容用の閉空間を形成する各部材の内面を、ゴム板等の防水層と、鉛板等の放射線遮蔽層とを重合した放射能汚染物質防護層で隙間なく覆い、
前記コンテナ本体内の閉空間に収容された除染水、ヘドロ等の液体状の放射能汚染物質の放射線遮蔽と、外部への漏水を防止するように構成するとともに、
前記貨物収容用の閉空間を形成する各部材の一部に、除染水、ヘドロ等の液体状の放射能汚染物質を注入又は排出用の穴を設け、
前記穴から貨物収容用の閉空間内への放射能汚染物質の注入時、又は前記穴から貨物収容用の閉空間内から放射能汚染物質の排出時には、当該注入用又は排出用のホースの貫通部分が放射能汚染物質防護層を用いて気密状態となる構造で嵌装し、かつ、穴との接合部分及び前記閉空間に臨む面に前記放射能汚染物質防護層を付けた着脱可能なホース付き蓋体を嵌装した状態で、放射能汚染物質の注入、排出を行うように構成し、
前記穴を、この穴との接合部分及び前記閉空間に臨む面に前記放射能汚染物質防護層を付けた着脱可能な蓋体により、閉塞するように構成したことを特徴とする液体状の放射能汚染物質用コンテナ。
【請求項５】
貨物収容用の直方体状のコンテナ本体の端壁部、天井部、床部及び両側板部の各内面、並びに貨物出入用の開口部領域に開閉可能に取り付けられこの開口部領域を閉塞又は開口する開閉扉の内面を、ゴム板等の防水層と、鉛板等の放射線遮蔽層とを重合した放射能汚染物質防護層で隙間なく覆い、
前記開閉扉の閉塞状態で前記コンテナ本体内に、収容された除染水、ヘドロ等の液体状の放射能汚染物質の放射線遮蔽と、外部への漏水を防止するように構成するとともに、
前記貨物収容用の閉空間を形成する天井部、側板部又は開閉扉の一部に、除染水、ヘドロ等の液体状の放射能汚染物質を注入又は排出用の穴を設け、
前記穴から貨物収容用の閉空間内への放射能汚染物質の注入時、又は前記穴から貨物収容用の閉空間内から放射能汚染物質の排出時には、当該注入用又は排出用のホースの貫通部分が放射能汚染物質防護層を用いて気密状態となる構造で嵌装し、かつ、穴との接合部分及び前記閉空間に臨む面に前記放射能汚染物質防護層を付けた着脱可能なホース付き蓋体を嵌装した状態で、放射能汚染物質の注入、排出を行うように構成し、
前記穴を、この穴との接合部分及び前記閉空間に臨む面に前記放射能汚染物質防護層を付けた着脱可能な蓋体により、閉塞するように構成したことを特徴とする液体状の放射能汚染物質用コンテナ。
【請求項６】
直方体状に構成された液体状の放射能汚染物質用コンテナであって、
貨物収容用の直方体状のコンテナ本体の端壁部、天井部、床部及び両側板部の各内面、並びに貨物出入用の開口部領域に開閉可能に取り付けられこの開口部領域を閉塞又は開口するヒンジにて開閉可能に支持された一対の観音開きの開閉扉の内面を、各々覆うゴム板等の防水層と、鉛板等の放射線遮蔽層とを重合した放射能汚染物質防護層と、
コンテナ本体の開口部領域の上辺縁部、下辺縁部に各々前記天井部側の放射能汚染物質防護層、床部側の放射能汚染物質防護層を延在することにより設けられ、観音開きの一対の開閉扉の上辺縁部、下辺縁部の放射能汚染物質防護層を各々重合接触させる放射能汚染物質防護層突出受片部と、
観音開きの一対の開閉扉の垂直方向の両接合端縁部の一方にこの開閉扉の放射能汚染物質防護層を延在させることにより設けられるとともに、他方の開閉扉の接合縁部の放射能汚染物質防護層を重合接触させる放射能汚染物質防護層突出受片部と、
を具備するとともに、
前記コンテナ本体の開口部領域の左辺縁部、右辺縁部の放射能汚染物質防護層と、観音開きの一方の開閉扉の左辺縁部、他方の開閉扉の右辺縁部の各放射能汚染物質防護層とを各々一対の開閉扉の閉状態で密接させる構成とし、
前記一対の観音開きの開閉扉の閉状態で前記コンテナ本体内に収容された除染水、ヘドロ等の液体状の放射能汚染物質の放射線遮蔽と、外部への漏水を防止するように構成するとともに、
前記貨物収容用の閉空間を形成する天井部、側板部又は開閉扉の一部に、除染水、ヘドロ等の液体状の放射能汚染物質を注入又は排出用の穴を設け、
前記穴から貨物収容用の閉空間内への放射能汚染物質の注入時、又は前記穴から貨物収容用の閉空間内から放射能汚染物質の排出時には、当該注入用又は排出用のホースの貫通部分が放射能汚染物質防護層を用いて気密状態となる構造で嵌装し、かつ、穴との接合部分及び前記閉空間に臨む面に前記放射能汚染物質防護層を付けた着脱可能なホース付き蓋体を嵌装した状態で、放射能汚染物質の注入、排出を行うように構成し、
前記穴を、この穴との接合部分及び前記閉空間に臨む面に前記放射能汚染物質防護層を付けた着脱可能な蓋体により、閉塞するように構成したことを特徴とする液体状の放射能汚染物質用コンテナ。
【考案の詳細な説明】
【技術分野】
【０００１】
本考案は、液体状の放射能汚染物質用コンテナに関し、詳しくは、一般貨物コンテナを利用して液体状の放射能汚染物質を収納し、周囲への放射能汚染を防止しつつ保管したり搬送したりすることができる液体状の放射能汚染物質用コンテナに関するものである。
【背景技術】
【０００２】
近年、東日本大震災に伴う原子力発電所の放射能漏洩事故によって、周辺の道路、家屋等が放射能汚染されたことから、その対策が緊急に要請されている。
【０００３】
この場合の対策の一つとして、高圧水を放射能汚染対象物に放水し、放射性セシウム等により汚染された例えば道路面や家屋の屋根、壁面等々を除染処理することが行われている。
【０００４】
このような除染処理を行った場合、当然に液体状の放射能汚染物質、すなわち、除染水が生じることになり、この除染水を放置するとさらなる放射能汚染が生じるため、除染水の集水、貯留や運搬、保管処理が問題となっているのが現状である。
【０００５】
一方、トラックや鉄道、更には船舶を利用して輸送される一般用コンテナに着目すると、かなりの個数が遊休状態となっているのが現状であり、その有効利用が望まれていることも現状である。
【０００６】
特許文献１には、一般貨物コンテナの一つの利用例として、海洋コンテナを利用したコンテナハウスをユニット化し外国製室内装飾ガラスや特殊家具などを用いることで高級感を出し、低コスト化を図ったコンテナハウスの構造が提案されている。
しかしながら、この特許文献１の例を含め、一般貨物コンテナを液体状の放射能汚染物質の貯留用、保管用、搬送用として利用した例は見当たらない。
【先行技術文献】
【特許文献】
【０００７】
【特許文献１】特開２００９−１２７３３９号公報
【考案の概要】
【考案が解決しようとする課題】
【０００８】
本考案が解決しようとする問題点は、一般貨物コンテナを利用して液体状の放射能汚染物質を収納し、周囲への放射能汚染を防止しつつ安全に保管したり搬送したりすることができ、除染水等の処理対策に極めて有効であり、かつ、遊休貨物コンテナの有効利用を図ることができるような液体状の放射能汚染物質用コンテナが存在しない点である。
【課題を解決するための手段】
【０００９】
本考案に係る液体状の放射能汚染物質用コンテナは、コンテナ本体における貨物収納用の閉空間を形成する各部材の内面を、ゴム板等の防水層と、鉛板等の放射線遮蔽層とを重合した放射能汚染物質防護層で隙間なく覆い、前記コンテナ本体内の閉空間に収納された液体状の放射能汚染物質の放射線遮蔽と、外部への漏水を防止する構成を最も主要な特徴とする。
【考案の効果】
【００１０】
請求項１記載の考案によれば、コンテナ本体における貨物収納用の閉空間を形成する各部材の内面を、ゴム板等の防水層と、鉛板等の放射線遮蔽層とを重合した放射能汚染物質防護層で隙間なく覆う構成としたことにより、貨物コンテナを利用して液体状の放射能汚染物質を収納し、周囲への放射能汚染を防止しつつ安全に保管したり搬送したりすることができ、除染水等の処理対策に極めて有効であり、かつ、遊休貨物コンテナの有効利用を図ることができる液体状の放射能汚染物質用コンテナを実現し、提供することができる。
【００１１】
請求項２記載の考案によれば、貨物収納用の直方体状のコンテナ本体の端壁部、天井部、床部及び両側板部の各内面、並びに、貨物出入用の開口部領域に開閉可能に取り付けられこの開口部領域を閉塞又は開口する開閉扉の内面を、ゴム板等の防水層と、鉛板等の放射線遮蔽層とを重合した放射能汚染物質防護層で隙間なく覆う構成としたことにより、請求項１記載の考案の場合と同様、貨物コンテナを利用して液体状の放射能汚染物質を収納し、周囲への放射能汚染を防止しつつ安全に保管したり搬送したりすることができ、除染水等の処理対策に極めて有効であり、かつ、遊休貨物コンテナの有効利用を図ることができる液体状の放射能汚染物質用コンテナを実現し、提供することができる。
【００１２】
請求項３記載の考案によれば、貨物収納用の直方体状のコンテナ本体の端壁部、天井部、床部及び両側板部の各内面、並びに、貨物出入用の開口部領域に開閉可能に取り付けられこの開口部領域を閉塞又は開口するヒンジにて開閉可能に支持された一対の観音開きの開閉扉の内面を、ゴム板等の防水層と、鉛板等の放射線遮蔽層とを重合した放射能汚染物質防護層により各々覆う構成とするとともに、一対の観音開きの開閉扉の上辺、下辺、左辺、右辺及び両開閉扉の接合端縁も各々放射能汚染物質防護層により防護する構成の基に、請求項２記載の考案の場合と同様、貨物コンテナを利用して液体状の放射能汚染物質を収納し、周囲への放射能汚染を防止しつつ安全に保管したり搬送したりすることができ、除染水等の処理対策に極めて有効であり、かつ、遊休貨物コンテナの有効利用を図ることができる液体状の放射能汚染物質用コンテナを実現し、提供することができる。
【００１３】
請求項４記載の考案によれば、請求項１記載の考案と同様な効果を奏し、かつ、放射能汚染物質用コンテナ１Ａを安定な水平状態に保ったまま除染水又はヘドロ等をコンテナ本体に注入して所定量貯留したり、又はコンテナ本体に貯留している除染水又はヘドロ等を外部に排出することが極めて簡略容易であり、更には、除染水又はヘドロ等専用の箱型状のコンテナ容器としても構成することが可能な液体状の放射能汚染物質用コンテナを実現し、提供することができる。
【００１４】
請求項５記載の考案によれば、請求項２記載の考案と同様な効果を奏し、かつ、放射能汚染物質用コンテナ１Ａを安定な水平状態に保ったまま除染水又はヘドロ等をコンテナ本体に注入して所定量貯留したり、又はコンテナ本体に貯留している除染水又はヘドロ等を外部に排出することが極めて簡略容易である液体状の放射能汚染物質用コンテナを実現し、提供することができる。
【００１５】
請求項６記載の考案によれば、請求項３記載の考案と同様な効果を奏し、かつ、放射能汚染物質用コンテナ１Ａを安定な水平状態に保ったまま除染水又はヘドロ等をコンテナ本体に注入して所定量貯留したり、又はコンテナ本体に貯留している除染水又はヘドロ等を外部に排出することが極めて簡略容易である液体状の放射能汚染物質用コンテナを実現し、提供することができる。
【図面の簡単な説明】
【００１６】
【図１】図１は本考案の実施例に係る液体状の放射能汚染物質用コンテナのコンテナ本体を示す概略斜視図である。
【図２】図２は本実施例に係るコンテナ本体を開閉扉側から見た概略斜視図である。
【図３】図３は本実施例に係るコンテナ本体の概略縦断面図である。
【図４】図４は本実施例に係るコンテナ本体の概略横断面図である。
【図５】図５は本実施例に係るコンテナ本体における端部扉部側の開口領域、開閉扉における上辺、下辺の放射能汚染物質防護層の配置を示す概略断面図である。
【図６】図６は本実施例に係るコンテナ本体における端部扉部側の一対の開閉扉間における放射能汚染物質防護層の配置を示す概略断面図である。
【図７】図７は本実施例に係るコンテナ本体における端部扉部側の開口領域、開閉扉における左辺、右辺の放射能汚染物質防護層の配置を示す概略断面図である。
【図８】図８は本実施例に係る液体状の放射能汚染物質用コンテナの横置き状態を示す概略説明図である。
【図９】図９は本実施例に係る液体状の放射能汚染物質用コンテナの起立状態を示す概略説明図である。
【図１０】図１０は本実施例に係る液体状の放射能汚染物質用コンテナの起立状態で開閉扉を開いた状態を示す概略説明図である。
【図１１】図１１は本実施例に係る液体状の放射能汚染物質用コンテナの起立状態で除染水を注入する状態を示す概略説明図である。
【図１２】図１２は本実施例に係る液体状の放射能汚染物質用コンテナの除染水を注入した後開閉扉を閉じた状態を示す概略説明図である。
【図１３】図１３は本実施例に係る液体状の放射能汚染物質用コンテナの除染水を内部に貯留した後横置き状態とした場合の概略説明図である。
【図１４】図１４は本実施例に係る液体状の放射能汚染物質用コンテナの除染水を内部に貯留した後トラック移送する場合の概略説明図である。
【図１５】図１５は本実施例に係る液体状の放射能汚染物質用コンテナの除染水を内部に貯留した状態での保管状態を示す概略説明図である。
【図１６】図１６は本実施例に係る放射能汚染物質用コンテナの変形例のコンテナ本体を示す概略縦断面図である。
【図１７】図１７は変形例のコンテナ本体の穴に嵌着するホース付き蓋体を示す概略断面図である。
【図１８】図１８は変形例のコンテナ本体の穴にホース付き蓋体を嵌着して除染水をコンテナ本体内に注入する状態を示す概略断面図である。
【図１９】図１９は変形例のコンテナ本体の穴にホース付き蓋体を嵌着して除染水をコンテナ本体内から外部に排出する状態を示す概略断面図である。
【図２０】図２０は本実施例に係る放射能汚染物質用コンテナの別の変形例のコンテナ本体を示す概略横断面図である。
【考案を実施するための形態】
【００１７】
本考案は、一般貨物コンテナを利用して液体状の放射能汚染物質を収納し、周囲への放射能汚染を防止しつつ安全に保管したり搬送したりすることができ、除染水等の処理対策に極めて有効であり、かつ、遊休貨物コンテナの有効利用を図ることができる液体状の放射能汚染物質用コンテナを提供するという目的を、貨物収納用の直方体状のコンテナ本体の端壁部、天井部、床部及び両側板部の各内面、並びに、貨物出入用の開口部領域に開閉可能に取り付けられこの開口部領域を閉塞又は開口する開閉扉の内面を、ゴム板等の防水層と、鉛板等の放射線遮蔽層とを重合した放射能汚染物質防護層で隙間なく覆い、前記開閉扉の閉塞状態で前記コンテナ本体内に収納された液体状の放射能汚染物質の放射線遮蔽と、外部への漏水を防止する構成により実現した。
【実施例】
【００１８】
以下、本考案の実施例に係る液体状の放射能汚染物質用コンテナについて、図１乃至図７を参照して詳細に説明する。
【００１９】
本実施例に係る液体状の放射能汚染物質用コンテナ（以下「放射能汚染物質用コンテナ」という）１は、例えば、ＪＩＳ規格又はＩＳＯ規格に基づいた公知の２０フィート規格、４０フィート規格の海上コンテナ、又は１２フィート規格の鉄道コンテナ等のような一般貨物コンテナを構成するコンテナ本体２に対して改造を施し、前記コンテナ本体２内に収納された液体状の放射能汚染物質、例えば除染水Ｗに含まれる放射性セシウムが発する放射線の遮蔽と、除染水Ｗの外部への漏水を防止するように構成したものである。
【００２０】
本実施例に係る放射能汚染物質用コンテナ１のコンテナ本体２は、図１、図２に示すように、端壁部３、天井部４、床部５、両側板部６、６及び前記端壁部３と対向する端部扉部７を有し、これらを、直方体状を呈するように一体的に組み上げることにより構成している。
【００２１】
前記端部扉部７には、公知のように一対の観音開きの開閉扉８、８が開閉可能に取り付けられ、前記開閉扉８、８により、前記コンテナ本体２における貨物出入用の開口部領域を閉塞又は開口するように構成している。
【００２２】
一対の観音開きの開閉扉８、８における一方の開閉扉８の左辺縁部、他方の開閉扉８の右辺縁部は、前記コンテナ本体２の開口部領域の左辺縁部、右辺縁部に各々設けたヒンジ９により図４に示す矢印方向に開閉可能に支持されている。
【００２３】
また、前記端部扉部７には、一対の観音開きの開閉扉８、８のロック用のロックバー１０、開閉操作用のハンドル１１を設けている。
【００２４】
次に、本実施例に係るコンテナ本体２の内部構造について、図３乃至図７を参照して説明する。
【００２５】
前記コンテナ本体２の端壁部３、天井部４、床部５、及び両側板部６、６の各内面には、各々図３、図４に示すように、内張材１２が張り巡らされているとともに、一対の開閉扉８、８の内面にも各々内張材１３が張り巡らされている。
【００２６】
更に、端壁部３の内面側の内張材１２の全面に重合する状態にゴム板等の防水層２２と、鉛板等の放射線遮蔽層２３とを重合した放射能汚染物質防護層２１を例えば接着又はねじ止め等により張り巡らしている。
【００２７】
同様に、天井部４の内面側における内張材１２の全面に重合する状態にゴム板等の防水層２２と、鉛板等の放射線遮蔽層２３とを重合した放射能汚染物質防護層２１を例えば接着又はねじ止め等により張り巡らし、両側板部６、６の各内面側の内張材１２の全面に重合する状態にゴム板等の防水層２２と、鉛板等の放射線遮蔽層２３とを重合した放射能汚染物質防護層２１を例えば接着又はねじ止め等により張り巡らしている。
【００２８】
更にまた、一対の開閉扉８、８の内面側の内張材１３の全面に重合する状態にゴム板等の防水層２２と、鉛板等の放射線遮蔽層２３とを重合した放射能汚染物質防護層２１を例えば接着又はねじ止め等により張り巡らしている。なお、図３、図４においては、放射能汚染物質防護層２１の断面部分にはクロス斜線を付して示している。
【００２９】
次に、前記コンテナ本体２における開口部領域と、一対の開閉扉８、８との間の放射能汚染物質防護層２１の配置状態、及び一対の観音開きの開閉扉８、８の両接合端縁部における放射能汚染物質防護層２１の配置状態について、図５乃至図７を参照して説明する。
【００３０】
図５は、前記コンテナ本体２における開口部領域の上辺縁部、下辺縁部と、開閉扉８の上辺縁部、下辺縁部との間における放射能汚染物質防護層２１の配置状態を示すものである。
【００３１】
すなわち、前記コンテナ本体２における天井部４側の放射能汚染物質防護層２１の端縁部をＬ形状に屈曲した形状に延在することにより上側の放射能汚染物質防護層突出受片部２１ａを設け、また、床部５側の放射能汚染物質防護層２１の端縁部をＬ形状に屈曲した形状に延在することにより下側の放射能汚染物質防護層突出受片部２１ｂを設けて、前記開閉扉８、８の閉状態において、これら開閉扉８、８の上辺縁部、下辺縁部の放射能汚染物質防護層２１を各々上側の放射能汚染物質防護層突出受片部２１ａ、下側の放射能汚染物質防護層突出受片部２１ｂに重合接触させるように構成している。
【００３２】
これにより、前記開閉扉８、８を閉状態とすることで、コンテナ本体２における開口部領域の上辺縁部、下辺縁部と、開閉扉８の上辺縁部、下辺縁部との間において除染水Ｗが発する放射線の遮蔽を行い、除染水Ｗの外部への漏水を防止する構造を実現している。
【００３３】
図６は、一対の観音開きの開閉扉８、８の両接合端縁部（コンテナ本体２における開口部領域の左右中間部に位置する部分）における放射能汚染物質防護層２１の配置状態を示すものである。
【００３４】
すなわち、前記一対の開閉扉８、８の内の一方の開閉扉８側の放射能汚染物質防護層２１の垂直方向の端縁部を例えば鉤形状に延在させることにより放射能汚染物質防護層突出受片部２１ｃを設け、他方の開閉扉８側の放射能汚染物質防護層２１の接合端縁部を重合接触させるように構成している。
【００３５】
これにより、前記開閉扉８、８を閉状態とすることで、一対の観音開きの開閉扉８、８の両接合端縁部の間において、除染水Ｗが発する放射線の遮蔽を行い、除染水Ｗの外部への漏水を防止する構造を実現している。
【００３６】
図７は、前記コンテナ本体２における開口部領域の左辺縁部、右辺縁部と、一方の開閉扉８の左辺縁部、他方の開閉扉８の右辺縁部との間における放射能汚染物質防護層２１の配置状態を示すものである。
【００３７】
この場合には、前記コンテナ本体２の開口部領域を形成する両側板部６、６の内の図４において下側（端部扉部７の後方から見て左側）の側板部６側の放射能汚染物質防護層２１の垂直方向の端縁部と、一方の開閉扉８の左辺側の放射能汚染物質防護層２１の垂直方向の端縁部とを重合接触させ、また、右側の側板部６側の放射能汚染物質防護層２１の垂直方向の端縁部と、他方の開閉扉８の右辺側の放射能汚染物質防護層２１の垂直方向の端縁部とを重合接触させるように構成している。
【００３８】
これにより、前記開閉扉８、８を閉状態とすることで、一方の開閉扉８の左辺縁部、他方の開閉扉８の右辺縁部と、前記コンテナ本体２における開口部領域の左辺縁部、右辺縁部との間おいて除染水Ｗが発する放射線の遮蔽を行い、除染水Ｗの外部への漏水を防止する構造を実現している。
【００３９】
また、上述した構造により、一対の観音開きの開閉扉８、８は、各ヒンジ９により支持されつつ支障なく開閉可能となっている。
【００４０】
次に、本実施例に係る放射能汚染物質用コンテナ１を使用した除染水Ｗの収納から所定の場所での保管に至る一連の工程について、図８乃至図１５を参照して説明する。
【００４１】
まず、図８に示すように本実施例に係る放射能汚染物質用コンテナ１を除染場所の近くに横位置となる配置で用意する。
【００４２】
次に、図９に示すように、例えばクレーン車のクレーンフック３１に掛け止めたロープ３２を放射能汚染物質用コンテナ１に取り付け、コンテナ本体２の端部扉部７が上方位置となるようにして吊り、起立させる。更に、図１０に示すように開閉扉８、８を開状態とする。
【００４３】
次に、図１１に示すように、除染場所での除染作業によって生じた除染水Ｗをホース３４等からコンテナ本体２内に所定量注水し、次いで図１２に示すように、開閉扉８、８を閉状態としてコンテナ本体２内に、前記除染水Ｗが発する放射線の遮蔽を行い、除染水Ｗの外部への漏水を防止する状態の基に貯留する。
【００４４】
次に、図１３に示すように、再びクレーン車を使用し、起立状態でかつ除染水Ｗを貯留したコンテナ本体２を横位置とし、次いで、図１４に示すように、クレーン車を使用して、トラック３３にコンテナ本体２を積み込み、所定の保管場所に移送する。
【００４５】
そして、図１５に示すように、所定の保管場所にて除染水Ｗを貯留したコンテナ本体２を適宜個数積み上げて保管する。
【００４６】
また、コンテナ本体２から除染水Ｗを所定の箇所に放流して空となったコンテナ本体２を再利用することも可能である。
【００４７】
以上説明した本実施例に係る放射能汚染物質用コンテナ１によれば、コンテナ本体２の端壁部３、天井部４、床部５及び両側板部６、６の各内面、並びに、貨物出入用の開口部領域に開閉可能に取り付けられこの開口部領域を閉塞又は開口するヒンジ９にて開閉可能に支持された一対の観音開きの開閉扉８、８の内面を、ゴム板等の防水層２２と、鉛板等の放射線遮蔽層２３とを重合した放射能汚染物質防護層２１により各々覆う構成とし、かつ、一対の観音開きの開閉扉８、８の上辺、下辺、左辺、右辺及び両開閉扉８、８の接合端縁も各々放射能汚染物質防護層２１により防護する構成の基に、遊休状態の貨物コンテナを利用して除染水Ｗを収納し、周囲への放射能汚染を防止しつつ安全に保管したり搬送したりすることができ、除染水Ｗの処理対策に極めて有効であり、かつ、遊休貨物コンテナの有効利用を図ることができるという斬新かつ顕著な効果を奏するものである。
【００４８】
次に、本実施例に係る放射能汚染物質用コンテナ１の変形例である放射能汚染物質用コンテナ１Ａについて、図１６乃至図１９を参照して説明する。
【００４９】
なお、図１６乃至図１９に示す変形例において、既述した実施例の場合と同一の要素には同一の符号を付して示す。
【００５０】
変形例の放射能汚染物質用コンテナ１Ａは、既述した実施例の場合と略同様な構成であって、この放射能汚染物質用コンテナ１Ａを構成するコンテナ本体２Ａの天井部４の一部に、除染水Ｗ（又はヘドロ等）の放射能汚染物質を注入又は排出するための穴４０を設け、この穴４０を着脱可能な蓋体４１により、又は図１７に示す着脱可能なホース付き蓋体５１により密着状態で閉塞するように構成したことが特徴である。前記穴４０の径は例えば５０ｃｍ、１００ｃｍ等任意に設定できる。また、蓋体４１、ホース付き蓋体５１も前記穴４０に対応して構成するものである。
【００５１】
前記蓋体４１は、図１６に示すように、把持部４２付きの蓋板４３と、この蓋板４３と一体の嵌着部４４と、この嵌着部４４の外周における前記穴４０との接合部分及び前記コンテナ本体２Ａ内の閉空間に臨む面に、既述した場合と同様な防水層２２及び放射線遮蔽層２３を重合した放射能汚染物質防護層２１を付けた構造とし、前記穴４０部分に密着嵌合する構成としている。
【００５２】
前記ホース付き蓋体５１は、図１７に示すように、前記蓋体４１の蓋板４３と同様な構成の蓋板５２と、この蓋板５２と一体の嵌着部５３と、この嵌着部５３の外周における前記穴４０との接合部分及び前記コンテナ本体２Ａ内の閉空間に臨む面に付けた既述した場合と同様な防水層２２及び放射線遮蔽層２３を重合した放射能汚染物質防護層２１と、を具備している。
【００５３】
更に、前記ホース付き蓋体５１は、図１７に示すように、放射能汚染物質の注入又は排出用のホース５４を前記蓋板５２、嵌着部５３の中心部を貫通する状態で備えるとともに、貫通部分におけるホース５４の外周と前記蓋板５２、嵌着部５３との間には、前記放射能汚染物質防護層２３を用いて気密状態に保持する構成としている。
【００５４】
次に、変形例の放射能汚染物質用コンテナ１Ａの使用態様について、図１８、図１９を参照して説明する。
【００５５】
変形例の放射能汚染物質用コンテナ１Ａの空のコンテナ本体２Ａ内に、除染水Ｗ（又はヘドロ等）を注入する場合には、図１８に示すように、前記穴４０を閉塞する蓋体４１を外し、替わりに、図１７に示す前記ホース付き蓋体５１を前記穴４０に嵌着する。
【００５６】
この場合、コンテナ本体２Ａ内における前記ホース５４の先端は、例えば床部５に近い位置まで至る長さとなるように予め設定するものである。
【００５７】
そして、前記ホース５４を図示しないがポンプに連結し、ポンプを動作させてコンテナ本体２Ａ内に除染水Ｗ（又はヘドロ等）を注入する。
【００５８】
逆に、変形例の放射能汚染物質用コンテナ１Ａ内に除染水Ｗ（又はヘドロ等）を貯留し、蓋体４１を嵌着した状態から、前記除染水Ｗ（又はヘドロ等）を外部に排出する場合には、図１９に示すように、前記穴４０を閉塞する蓋体４１を外し、替わりに、図１９に示す前記ホース付き蓋体５１を既述した場合と同様にして前記穴４０に嵌着する。
【００５９】
そして、前記ホース５４を図示しないがポンプに連結し、ポンプを動作させてコンテナ本体２Ａ内から除染水Ｗ（又はヘドロ等）を廃棄場所の外部に排出する。
【００６０】
このような構成の変形例の放射能汚染物質用コンテナ１Ａによれば、放射能汚染物質用コンテナ１Ａを安定な水平状態に保ったまま、除染水Ｗ（又はヘドロ等）を放射能汚染物質用コンテナ１Ａ内に注入して所定量貯留したり、又は放射能汚染物質用コンテナ１Ａ内に貯留している除染水Ｗ（又はヘドロ等）を外部に排出することが極めて簡略容易となる。
【００６１】
なお、変形例の放射能汚染物質用コンテナ１Ａとしては、既述した実施例の場合と略同様な構成のものを用いる他、この放射能汚染物質用コンテナ１Ａ自体を除染水Ｗ（又はヘドロ等）専用の箱型状のコンテナ容器、すなわち、前記端部扉部７の領域をも密閉状態としたコンテナ容器として予め構成することもできる。
【００６２】
次に、本実施例に係る放射能汚染物質用コンテナ１の別の変形例である放射能汚染物質用コンテナ１Ｂについて、図２０を参照して説明する。
【００６３】
別の変形例の放射能汚染物質用コンテナ１Ｂは、図２０に示すように、既述した実施例の場合と略同様な構成であって、この放射能汚染物質用コンテナ１Ａを構成するコンテナ本体２Ｂの開閉扉８の一部、例えば、開閉扉８の天井部４の近くの位置に、除染水Ｗ（又はヘドロ等）の放射能汚染物質を注入又は排出するための穴４０を設け、この穴４０を変形例の場合と同様な着脱可能な蓋体４１により、又は変形例の場合と同様な着脱可能なホース付き蓋体５１により密着状態で閉塞するように構成したことが特徴である。
【００６４】
このような構成の別の変形例の放射能汚染物質用コンテナ１Ｂによれば、変形例の場合と同様な使用態様の基に、放射能汚染物質用コンテナ１Ｂを安定な水平状態に保ったまま、除染水Ｗ（又はヘドロ等）を放射能汚染物質用コンテナ１Ｂ内に注入して所定量貯留したり、又は放射能汚染物質用コンテナ１Ｂ内に貯留している除染水Ｗ（又はヘドロ等）を外部に排出することが極めて簡略容易となる。
【００６５】
なお、別の変形例の放射能汚染物質用コンテナ１Ｂとしては、既述した実施例の場合と略同様な構成のものを用いる他、この放射能汚染物質用コンテナ１Ｂ自体を除染水Ｗ（又はヘドロ等）専用の箱型状のコンテナ容器、すなわち、前記端部扉部７の領域をも密閉状態としたコンテナ容器として予め構成するともできる。
【００６６】
この他、上述した実施例の放射能汚染物質用コンテナ１の側板部６の一部に、上述した場合と同様な穴４０を設け、この穴４０を前記蓋体４１により又はホース付き蓋体５１により密着状態で閉塞するようにして、更に別の変形例の放射能汚染物質用コンテナを構成することもでき、
【００６７】
この場合においても、前記放射能汚染物質用コンテナを安定な水平状態に保ったまま、除染水Ｗ（又はヘドロ等）を前記放射能汚染物質用コンテナ内に注入して所定量貯留したり、又は前記放射能汚染物質用コンテナ内に貯留している除染水Ｗ（又はヘドロ等）を外部に排出することが極めて簡略容易となる。
【産業上の利用可能性】
【００６８】
本考案の液体状の放射能汚染物質用コンテナは、上述した除染水を収納貯留して周囲への放射能汚染を防止しつつ安全に保管したり搬送したりする場合の他、放射性物質で汚染された海水、瓦礫、土砂等の収納保管用、搬送用としても広範に適用可能である。
【符号の説明】
【００６９】
１    液体状の放射能汚染物質用コンテナ
１Ａ  液体状の放射能汚染物質用コンテナ
１Ｂ  液体状の放射能汚染物質用コンテナ
２    コンテナ本体
２Ａ  コンテナ本体
２Ｂ  コンテナ本体
２    コンテナ本体
３    端壁部
４    天井部
５    床部
６    側板部
７    端部扉部
８    開閉扉
９    ヒンジ
１０    ロックバー
１１    ハンドル
１２    内張材
１３    内張材
２１    放射能汚染物質防護層
２１ａ  放射能汚染物質防護層突出受片部
２１ｂ  放射能汚染物質防護層突出受片部
２１ｃ  放射能汚染物質防護層突出受片部
２２    防水層
２３    放射線遮蔽層
３１    クレーンフック
３２    ロープ
３３    トラック
３４    ホース
４０    穴
４１    蓋体
４２    把持部
４３    蓋板
４４    嵌着部
５１    ホース付き蓋体
５２    蓋板
５３    嵌着部
５４    ホース
Ｗ    除染水
【図１】
0003177979.tif 000003
【図２】
0003177979.tif 000004
【図３】
0003177979.tif 000005
【図４】
0003177979.tif 000006
【図５】
0003177979.tif 000007
【図６】
0003177979.tif 000008
【図７】
0003177979.tif 000009
【図８】
0003177979.tif 000010
【図９】
0003177979.tif 000011
【図１０】
0003177979.tif 000012
【図１１】
0003177979.tif 000013
【図１２】
0003177979.tif 000014
【図１３】
0003177979.tif 000015
【図１４】
0003177979.tif 000016
【図１５】
0003177979.tif 000017
【図１６】
0003177979.tif 000018
【図１７】
0003177979.tif 000019
【図１８】
0003177979.tif 000020
【図１９】
0003177979.tif 000021
【図２０】
0003177979.tif 000022